(57)【要約】      （修正有）【課題】ネジや類似の締め具を使用せずにレンズをフレームに取り付けることのできる眼鏡のフレームを提供する。【解決手段】眼鏡のフレームは、眼鏡のフレームのフロント部を備え、この眼鏡のフレームのフロント部は、相隔てて対向する一対のアームを備え、一対のアームの少なくとも１つは、眼鏡のフレームのフロント部の上側部材から離れた外側末端部を有し、一対のアームの少なくとも１つアームの外側末端部は、相隔てて対向する一対のアーム間でレンズを掴んで保持するのに不可欠なレンズリテーナを備える。【選択図】図１
0003145561.tif 000002
【実用新案登録請求の範囲】
【請求項１】
眼鏡のフレームにおいて、
フロント部及び一対のテンプルを備え、
前記フロント部は、その各末端に側面部材を有し、
前記各側面部材は、前記テンプルを前記フロント部に開放自在に取り付けられるようにする、前記テンプルのレセプタに開放自在にしっかりと係合するための係合部材を備え、
前記係合部材及び前記レセプタの一方は、二股に分岐しており、その間の隙間に上側部材及び下側部材を備え、
前記係合部材及び前記レセプタの他方は、前記上側部材を開放自在にしっかりと受け止める上側ブラケットと、前記下側部材を開放自在にしっかりと受け止める下側ブラケットと、を有することを特徴とする眼鏡のフレーム。
【請求項２】
前記フロント部は、スプリット縁を更に備え、
前記縁は、前記側面部材において分岐しており、
前記側面部材は、レンズの挿入及び取り外しのため、前記スプリットに沿って前記縁が開かれるように、共通のスプリット線に沿って前記縁にある前記スプリットに合致するように分割されていることを特徴とする請求項１に記載の眼鏡のフレーム。
【請求項３】
前記レセプタは、前記係合部材が前記レセプタに位置するとき、完全に閉じた位置でスプリット縁を保持することを特徴とする請求項２に記載の眼鏡のフレーム。
【請求項４】
眼鏡のフレームにおいて、
（ａ）フロント部と、
（ｂ）前記フロント部の各末端部にある側面部材と、
（ｃ）前記側面部材に取り付けられた一対の縁と、
（ｄ）レンズの挿入及び取り外しのため、前記スプリット線に沿って前記縁が開かれるように、共通のスプリット線に沿って分岐する各縁及び側面部材と、
（ｅ）閉じた状態の前記共通のスプリット線を保持するため、前記側面部材の一方に係合するための一対のテンプルと、を備え、
前記一対のテンプルの各々と前記側面部材の１つとの係合は、レセプタに開放自在に係合するための係合部材によってなされ、
前記係合部材及びレセプタは、二股に分岐しており、それらの間にすき間のある上側部材及び下側部材を備え、
前記係合部材及びレセプタは、前記上側部材を開放自在に受け止める上側ブラケットと、前記下側部材を開放自在に受ける止める下側ブラケットと、を有することを特徴とする眼鏡のフレーム。
【請求項５】
前記各側面部材は、前記テンプルのレセプタと開放自在にしっかりと係合するための係合部材を備えることを特徴とする請求項４に記載の眼鏡のフレーム。
【請求項６】
前記各テンプルは、前記側面部材のレセプタと係合するための係合部材を備えることを特徴とする請求項４に記載の眼鏡のフレーム。
【請求項７】
前記上側部材及び下側部材は、夫々フロント部から離れた末端部に少なくとも１つの返し部を有することを特徴とする請求項４乃至請求項６のいずれか一項に記載の眼鏡のフレーム。
【請求項８】
前記レセプタは、前記上側ブラケットと下側ブラケットとの間で前記レセプタを通る細長いスロットを更に備えることを特徴とする請求項７に記載の眼鏡のフレーム。
【請求項９】
スナップ式により前記細長いスロット及び隙間を係合するボタンを更に備えることを特徴とする請求項８に記載の眼鏡のフレーム。
【請求項１０】
前記上側部材と下側部材は、前記返し部が前記レセプタと係合する第１の係合位置から、前記係合部材をレセプタに挿入及び開放できるようにする第２の係合位置へ、互いが相対的に移動可能となっていることを特徴とする請求項９に記載の眼鏡のフレーム。
【請求項１１】
前記ボタンは、前記上下側部材の動きを抑制するために隙間に係合することを特徴とする請求項１０に記載の眼鏡のフレーム。
【請求項１２】
前記側面部材は、前記フロント部の後方に伸びていることを特徴とする請求項１０に記載の眼鏡のフレーム。
【請求項１３】
テンプルにおいて、
テンプル末端と、
レセプタに開放自在にしっかりと係合する係合部材と、２本のアームを形成する前記テンプル末端から後方へ伸びるスロットと、を備え、
前記スロットは、前記係合部材が前記レセプタに係合できるように、指圧で圧縮可能となっていることを特徴とするテンプル。
【請求項１４】
前記係合部材は、テンプル末端に隣接して上向きに伸びる上側ピン及びテンプル末端に隣接して下向きに伸びる下側ピンを更に備え、
前記ピンは、前記レセプタのピンホールに係合することを特徴とする請求項１３に記載のテンプル。
【請求項１５】
前記係合部材は、前記レセプタのブラケットの後方で係合するための一対の対向する返し部を更に備えることを特徴とする請求項１３に記載のテンプル。
【請求項１６】
前記テンプル末端は、前記テンプル末端の内部にオフセットするテンプル末端オフセット部を備えることを特徴とする請求項１３乃至請求項１５のいずれか一項に記載のテンプル。
【請求項１７】
前記スロットは、前記テンプルオフセット部から後方へ伸びることを特徴とする請求項１６に記載のテンプル。
【請求項１８】
前記スロットは、前記テンプル末端オフセット部の少なくとも全範囲にかけて、前記テンプル末端から高さ方向に先細りになることを特徴とする請求項１６又は請求項１７に記載のテンプル。
【請求項１９】
前記スロットの隙間に係合するため、係止ボタンが前記スロットを通って挿入されることを特徴とする請求項１８に記載のテンプル。
【請求項２０】
前記２本のアームの一方は、前記２本のアームを軸方向に位置づけるため、他方のアームの凹部で上向きに伸びる突起を備えることを特徴とする請求項１９に記載のテンプル。
【請求項２１】
前記２本のアームの各々は、前記レセプタと係合するため、前記レセプタに挿入されることを特徴とする請求項２０に記載のテンプル。
【請求項２２】
前記返し部は、屈曲され、浅薄であることを特徴とする請求項１５に記載のテンプル。
【考案の詳細な説明】
【技術分野】
【０００１】
本考案は、２００５年２月１８日にて本出願人らによる国際特許出願（ＰＣＴ／ＳＧ２００５／００００４８）における「眼鏡のフレーム」と題名付けられた発明に基づいており、その特許出願の内容は、参照によって本出願に組み込まれる。また、本考案は、眼鏡のフレームとレンズとを取り付けるための方法及び装置であって、特に、ネジや類似の締め具を使用しない眼鏡のフレームとレンズとを取り付けるための装置に関する。
【背景技術】
【０００２】
眼鏡のフレームでは、通常、フレームの部品、及びフレームの部品とレンズとは、ネジによって取り付けられる。これには穴の位置決め及び穴あけにおける高い精度を要する。そのため、部品数が増加し、また、フレームの組み立てやレンズの挿入又は取り外しやフレームの修理のとき、光学技術者にとって難しいと感じさせることがある。レンズをフレームの部品、特に縁のないフレーム又は部分縁のないフレームに取り付けるとき、誤りがあったら、又は調整が必要なら、新しいレンズを作らければならないこともある。これは、技術者にとって時間の浪費であり、消費者にとって割高である。
【０００３】
また、ネジやハンダ付けを使用せずに組み立てられた眼鏡のフレームは、フロント部及び２つのテンプルを有しており、それが特別なツールを必要とする複雑な処理方法を用いて、開放自在なように係合された成型アクリル又はプラスチックから作成されるものである。これは、光学技術者にとって不便である。特別なツールを必要としないでフロント部からレンズを挿入し、テンプルを取り外すことができるなら、仕事ははるかに簡単になる。更に、通常、テンプルにはスプリング機能性を持たせるために、別々のスプリングが必要である。
【考案の開示】
【０００４】
第１の好ましい形態によれば、眼鏡のフレームのフロント部は、相隔てて対向する一対のアームを備え、夫々のアームは、眼鏡のフレームのフロント部の上部から離れた位置にある外側末端部を有し、一対のアームのうちの少なくとも一方のアームの外側末端部は、相隔てて対向する一対のアーム間でレンズを掴んで保持するのに不可欠なレンズリテーナを備える。
【０００５】
一対のアームは、上部に依存する、眼鏡のフレームのフロント部の下部から上向き伸びる、眼鏡のフレームのフロント部から横方向に伸びる、及び、縁を形成する、のうちの少なくとも１つである。レンズリテーナは、レンズを掴む歯、レンズを掴む針、及び、レンズにおいて対応する穴に位置付けられるピンのうちの少なくとも１つである。レンズはその周囲に伸びる溝を有し、レンズリテーナは、その溝にレンズを係合する。一対のアームは、外側末端部に向かって互いに先細りになっている。外側末端部は、レンズの最大側面幅より小さい間隔で隔てられている。
【０００６】
第２の好ましい形態によれば、眼鏡のフレームは、フロント部及びテンプルを備え、フロント部はその各末端に側面部材を有し、各側面部材は、フロント部にテンプルを開放自在に取り付けられるように、テンプルのレセプタをしっかりと係合するための係合部材を有する。
【０００７】
フロント部は、更にスプリット縁を有し、縁は側面部材で分岐しており、また、側面部材は、縁のスプリットと一緒の配列に分岐しており、この共通のスプリットに沿って、レンズの挿入及び取り外しのために、スプリットに沿って縁が開かれるようにする。レセプタは、係合部材がリテーナに位置付けられるとき、完全に閉じた位置にあるスプリット縁を保持する。
【０００８】
第３の好ましい形態によれば、眼鏡のフレームは、
（ａ）フロント部と、
（ｂ）フロント部の各末端部にある側面部材と、
（ｃ）側面部材に取り付けられた一対の縁と、
（ｄ）レンズの挿入及び取り外しのため、スプリット線に沿って縁が開かれるように、共通のスプリット線に沿って分岐する各縁及び側面部材と、
（ｅ）閉じた状態の共通のスプリット線を保持するため、側面部材の一方に係合するための一対のテンプルと、を備える。
【０００９】
各側面部材は、テンプルのレセプタと開放自在に係合するための係合部材を備える。
【００１０】
第２及び第３の形態では、係合部材は、二股に分岐しており、それらの間の隙間に上側部材及び下側部材を備え、上側部材及び下側部材は、フロント部から離れた各末端部に少なくとも１つの返し部を有する。レセプタは、上側部材を開放自在に受け止める上側ブラケット、下側部材を開放自在に受け止める下側ブラケット、及び、上側ブラケットと下側ブラケットとの間のレセプタを通る細長いスロットを備える。眼鏡のフレームは、更にその細長いスロットと隙間とをスナップ式で係合するためのボタンを備える。上側部材及び下側部材は、返し部がレセプタと係合する第１の係合位置から、係合部材をレセプタに挿入及び開放できるようにする第２の係合位置へ、互いが相対的に移動可能となっている。ボタンは上下側部材の動きを抑制するため、隙間に係合する。側面部材はフロント部の後方に伸びている。
【００１１】
第４の形態では、眼鏡のフレームは、フロント部、フロント部の各末端部で後方に伸びる一対のテンプルを備え、各テンプルは、フロント部にテンプルを蝶番式で結びつけるコードを有する。
【００１２】
テンプルはコードの周囲に成型され、そして/又はフロント部はコードの周囲に成型される。
【００１３】
コードはフロント部の上部にある第１の穴を通り、そのコードはテンプルから離れたフロント部末端に取り付けられた鼻あてを有する。コードは上部に沿って伸び、フロント部の上部にある第２の穴を通り、第１の穴はテンプルから離れており、第２の穴はテンプルに隣接している。上側に沿って伸びるコードは、上部の前面を越えて、上部の前面の溝、上部に成型され、上部の最上表面の溝、上部裏面にある少なくとも１つの溝にある。
【００１４】
コードは、柔軟性のある金属糸であり、また、その金属糸はベータチタニウム又はステンレスである。
【００１５】
第５の好ましい形態によると、眼鏡のフレーム組立体は、少なくとも１つのテンプル、クリップ及びフロント部を備える。クリップは、フロント部の側面末端部において凹状に成型できる又は受け止められる。テンプルは、フロント部に開放自在に取り付けられるように、開放自在にクリップに取り付けられる。クリップは、少なくとも１つのテンプルにスプリング機能を与えるスプリングクリップである。
【００１６】
クリップは、
（ａ）基材と、
（ｂ）基材と一体的に、及び基材を越えて伸びる屈曲上部と、
（ｃ）眼鏡のフレームの少なくとも１つのテンプルの動きに対する制御を補助する、屈曲上部の外側末端部にある上向きクリップと、を備える。
【００１７】
クリップは、一対の相隔たる略平行なアームを更に備え、そのアームは、基材の各側面部から上方に伸び、各アームは、好ましくはデザインにおいて一致しており、互いに配列され、また、ピンホールを有する。狭い隙間が、屈曲上部と基材との間に形成されているので、クリップが少なくとも１つのテンプルの動きによる圧縮条件にあるとき、屈曲上部は基材に接触して閉鎖したループを形成する。動きの制御は、スプリング機能の付与することを含む。
【００１８】
少なくとも１つのテンプルのピンとアームとの間でスリーブが用いられ、そのスリーブはピンホールに位置つけられる。そのスリーブは、内側末端部にある環状の縁に、略中空の筒状体を備える。
【００１９】
テンプルは、
（ａ）テンプル末端と、
（ｂ）テンプル末端に隣接して上向きに伸びる上側ピンと、
（ｃ）テンプル末端に隣接して下向きに伸びる下側ピンと、
（ｄ）２つのアームを形成するテンプル末端から後方へ伸びるスロットと、を備え、そのスロットは、フロント部のピンホールにピンを係合できるように指圧により圧縮されるようになっている。
【００２０】
テンプルは、更に、テンプル末端の内方にオフセットしたテンプル末端オフセット部を含む。スロットは、テンプル末端オフセット部から後方へ伸び、テンプル末端オフセット部の少なくとも全範囲においてテンプル末端から高さ方向に先細りとなっている。
【００２１】
屈曲上部は、動きの制御を付与するために、テンプル末端に接触されるように適応され、また、そのクリップはフロント部と一体的である。
【００２２】
第６の好ましい形態によれば、眼鏡のフレーム組立体は、少なくとも１つのテンプル、１つのクリップ及びフロント部、を備え、そのクリップは、フロント部のサイド末端部にある凹部に位置する屈曲上部を備え、少なくとも１つのテンプルが、第１の位置から第２の位置に移動するとき、テンプルのスプリング効果を実現するため、開放自在に取り付け可能となっている。
【００２３】
少なくとも１つのテンプル及びアームの横方向に伸びるピンの間に、少なくとも１つのスリーブが用いられ、スリーブはピンホールの位置付けに用いられる。そのスリーブは、内側末端部にある環状の縁に、略中空の筒状体を備える。各スリーブは、凹部で横方向に伸びる穴に位置付けられる。
【００２４】
第７の形態によれば、クリップは、
（ａ）基材と、
（ｂ）基材の各側面から上向きに伸びる、相隔てて対向する略平行の一対のアームと、を備え、各アームは好ましくはデザインにおいて一致しており、互いに配列され、ピンホールを有し、
（ｃ）基材と一体的で、また基材を越えて伸びる屈曲上部と、
（ｄ）眼鏡のフレームの少なくとも１つのテンプルの動きの制御を与えるのを補助するため、屈曲上部の外端部にある上向きのリップと、を備える。動きの制御は、スプリング機能を付与することを含む。
【００２５】
動きの制御は、スプリング機能であり、また、屈曲上部は、動きの制御をもたらすため、テンプル末端により接触されるように適応される。
【００２６】
眼鏡のフレームは、２つ又はそれ以上の上述した形態のいずれかの組み合わせることができる。
【考案を実施するための最良の形態】
【００２７】
まず、図１〜図５を参照することにより、レンズ２１２に設置されるハーフ・フレーム２５４を有する第１の実施形態を示す。相隔てて対向する２本のアーム２５８は、ハーフ・フレーム２５４の上部２５６によって保持されている。アーム２５８は、レンズ２１２の間でそれらを開放自在に支持するように相隔たっている。そのため、それらは、一般的には上部２５６から離れた位置で収束している。各アーム２５８の下部末端２６０には、一体的なレンズリテーナ２６２がある。レンズリテーナ２６２は、アーム２５８を補助して、それらの間でレンズ２１２を掴む。レンズリテーナ２６２は、片方のアーム２５８又は両方のアームの下部末端２６０にある。レンズリテーナ２６２は、例えば、鋸歯のような複数個の歯２６４、レンズ２１２の側面２７０の予め形成した又は予め対応するようにドリルされた穴２６８に係合するピン２６６、又は、レンズ２１２の側面２７０を掴む鋭いピン又は針２７２である。望ましくは、レンズ２１２の側面２７０には溝２７４が形成され、溝２７４には穴２６８が形成又はドリルされ、これにより、歯２６４と針２７２とが噛み合わされる。
【００２８】
レンズ２１２を挿入する時、ハーフ・フレーム２５４はアーム２５８を分けるために屈曲され、又は、アーム２５８は互いから下部末端２６０を動かすことによって屈曲される。レンズ２１２は挿入されてその屈曲部が開放される。レンズリテーナ２６２は、適所にレンズ２１２を掴む又は係合する。ハーフ・フレーム２５４が比較的薄い材料から成る、又は比較的薄い縁を有するなら、ハーフ・フレーム２５４にあるレンズ２１２の保持を補助するため、溝２７４に係合される。レンズ２１２の取り外しは上述の手順の逆である。
【００２９】
レンズ２１２は、前方から見ると、通常、ややＶ字形又は楕円形であるので、アーム２５８の下部末端２６０におけるそれらの幅は、アーム２５３の幅より小さい。そのため、レンズ２１２はアーム２５８から外れ落ちる傾向にはない。レンズ２１２を挿入する前に少なくともアーム２５８の１つがレンズ２１２の内部で先細りになるならば、十分な保持力が、レンズ２１２を所定位置に保持するために加えられる。
【００３０】
また、鼻あて２８６が適用されたアーム２５８は、人間の鼻の一般的な形を反映した先細形状を有していることが好ましい。そうすれば、一般に、アーム２５８は着用者の目には入らない。
【００３１】
図６は第１の実施形態のいくつかの変形例を示す。図６（ａ）では、下側フレーム部分２７６から上向きに伸びるアーム２５８がある。下側部分２７６は連結アーム２７８によって上部２５６に接続される。アーム２５８の操作及び構成は上述の通りである。
【００３２】
図６（ｂ）では、アーム２５８が、上部２５６から下向きに又は横方向に伸びる上側アーム２８０と共に、側面方向又は横方向に伸び、また、下側アーム２８２が、アーム２８４から横方向に伸びる。アーム２８０，２８２の操作及び構成は上述の通りである。
【００３３】
図６（ｃ）では、下側アーム２８２は、ややＬ字形であり、アーム２８４から、ややＵ字形をしたアームを形成するために、表向きに広がっている。レンズリテーナはアーム２８２の末端にある。他方のアーム２８０は上部２５６から下向きに広がってアーム２８２の末端で交わる。アーム２８０が比較的に短いので、２本のアーム２８０，２８２が２８６で交わる。２本のアーム２８０，２８２を分離することにより、レンズ２１２を挿入することができる。このように、フレームは完全な縁有りフレームと似ているように見える。図６（ｄ）は図１５（ｂ）の鏡像であり、図１５（ｅ）は図１５（ｃ）の鏡像である。
【００３４】
図７〜図９は第２の実施形態を示す。フロント部５１２０は上述の通りである。しかし、ここでは、テンプル５９８は、コード又は糸５１２２の使用により、フロント部５１２０に取り付けられる。そのコード又は糸５１２２は、例えば、ステンレス鋼、ベータチタニウム又は同様のもの等の適当な材料から成る。コード又は糸５１２２の一端に鼻あて５８６がある。それはフロント部５１２０の上部５５６にある第１の孔５１２４を通り抜けて、フロント部５１２０に沿って伸びる。そのため、それはフロント部５１２０に装飾的な特徴として機能する。コード又は糸５１２２は、第２の孔５１２６も通り抜ける。コード又は糸５１２２は、その周囲の形成されたテンプル５９８を有するので、コード又は糸５１２２とテンプル５９８は一体的に組立される。これは、コード又は糸５１２２上に適宜の材料を成型することによる。例えば、酢酸塩、プラスチック、エポキシ、又は同様の適当な材料である。この組立を用いることにより、コード又は糸５１２２は、テンプル５９８の力を通じてテンプル５９８をフロント部５１２０に固定して、また、テンプル５９８とテンプル５１２２の間のヒンジとして機能する。テンプル５９８が比較的透明な材料又は半透明の材料であれば、コード又は糸５１２２が更なる際立った特徴として機能する。鼻あて５８６は、ネジ、接着剤及び同様のものに限らず、既知の又は適宜の方法により、コード又は糸５１２２に取り付けられる。
【００３５】
図１０〜図１５は第２の実施形態と類似した第３の実施形態を示す。図１０及び図１５において、フロント部６１２０が第１の孔６１２４と第２の孔６１２６を接続する細長い溝６１２８を有する。これは、組立完成時に、コード又は糸６１２２がフロント部５１２０と同一平面にあることを意味する。
【００３６】
図１２において、フロント部６１２０は、その裏面６１３２に少なくとも２本の管状溝６１２０を有し、コード又は糸６１２２が管状溝を通り抜け、好ましくは比較的にぴったりと適合する。追加導管はテンプル６９８に隣接して備えられる。
【００３７】
図１３〜図１５は、製造プロセスの間、フロント部６１２０がコード又は糸６１２２の周囲に形成される状況を示す。これはフロント部６１２０(図１３)のフロント部表面６１３４に向かい、裏面６１３２(図１４)に向かい、又は、先端６１３６(図１５)に沿う又は向かう。コード又は糸６１２２は先端６１３６にある溝６１３８に配置されうる。
【００３８】
図１６及び図１７は第４の実施形態を示し、ハーフ・フレーム３５４は後方へ伸びる不可欠な側面部材３８８を有する。側面部材は、隙間３９４をはさんで上側部材３９０及び下側部材３９２を形成するように分岐しており、それらの間には隙間３９４があり、また、各部材３９０，３９２は、その末端に返し部３９６を有する。
【００３９】
テンプル３９８はそれらのフロント部末端３１０２に対応するレセプタ３１００を有する。レセプタ３１００は、Ｌ字に形成された上下のブラケット３１０４，３１０６及び縦方向に伸びる細長いスロット３１０８を有する。テンプル３９８をハーフ・フレーム３５４（又は完全なフレーム、又は疑似完全なフレーム、例えば図１５（ｃ）（ｅ）参照）に組み立てるために、側面部材３８８はスライド方式でレセプタ３１００に係合される。返し部３９６は、レセプタ３１００が側面部材３８８に完全に係合されるまで隙間３９４を圧迫して部材３９０，３９２を一緒に押し付ける。すると、返し部３９６は上下のブラケット３１０４，３１０６の裏側に係合される。この位置において、隙間３９４とスロット３１０８が位置あわせされる。
【００４０】
係止ボタン３１１０は、スナップ式でスロット３１０８を通して挿入される。ボタン３１１０は、スロット３１０８より大きく、スロット３１０８を通り抜けない拡大ヘッド３１１２を有する。ボタン３１１０のボディー３１１４は、スロット３１０８を通り抜けて隙間３９４に係合される。このように、部材３９０，３９２は、より近接して共に動かされず、また、テンプル３９８はしっかりと開放自在なようにフレーム３５４に保持される。テンプル３９８を取り外すために、ボタン３１１０が取り外され、返し部３９６は、それらがブラケット３１０４，３１０６から離れるまで互いに動き、これによりテンプル３９８は取り外される。ヘッド３１１２は、眼鏡のフレーム３５４の由来を特定する商標を印刷する、及び/又は、浮き彫りすることがあるので、ボタン３１１０は商標を付すために使用されることがある。
【００４１】
図１８〜図２０は、フロント部４１２０の縁４１１６及び側面部材４８８が共通のスプリット４１１８で分離された第５の実施形態を示す。このように、縁４１１６にレンズ４１２を挿入できるように、縁４１１６を開いて分離される。部材４９０，４９２が図示された閉鎖位置に移ると、テンプル４９８は、第３の実施形態において上述したように、側面部材４８８に係合される。このように、テンプル３９８は、フロント部４１２０にそれ自体を係合するのではなく、閉鎖位置に縁４１１６を係合する役割を果たす。このようにして、レンズ４１１２を縁４１１６に係合する。
【００４２】
図２１及び図２２は図１８〜図２０の変形例を示す。また、フロント部７１２０と側面部材７８８の縁７１１６は一般的なスプリット７１１８によって分離される。このように、縁７１１６にレンズ７１２を挿入できるように、上下側部材７９０，７９２は縁７１１６を開いて分離される。部材７９０，７９２は閉鎖位置に移ると、テンプル７９８は側面部材７８８に係合される。ここで、上側及び下側の部材７９０，７９２は、夫々部材７９０，７９２の横方向に広がり、テンプル７９８の孔７９５に開放自在に係合するための返し部７９６を有する。
【００４３】
このように、テンプル７９８を係合する側面部材７８８は縁７１１６にレンズ７２２を係合するのに再び用いられる。
【００４４】
部材７９０，７９２の一方は、スプリット７１１８に突出した凸部７９７を有し、他方の部材は対応する凹部７９９を有する。凸部７９７と凹部７９９の組み合わせにより、縁７１１６及び返し部７９６の適正な配置を確保するため、部材７９０，７９２は軸方向又は縦方向に位置付けられる。
【００４５】
テンプル７９８は、孔７９５によって位置付けられた輪止め部７８５を有する。このように、強度及びユーザの快適性のため、輪止め部７９５及びテンプル７９８には異なった材料が使用される。
【００４６】
図２３〜図２６は、側面部材８８８がより複雑な形状を有する更なる変形例を示す。ここでは、凸部８９７と凹部８９９があり、上側部材８９０と下側部材８９２は互いの小さいイメージである。部材８９２の夫々は凸状にするアーチ形であり(すなわち、スプリット８１１８からから離れる)、夫々が少なくとも１つ、望ましくは２つの前向きの稜部８９３を有する。また、夫々が、後方へ伸びる舌状部８９１を有し、舌状部８９１は、その後部末端に浅く屈曲した返し部８９６を有する。図示の通り、上側部材８９０の上側縁及び下側部材８９２の下側縁は、凹部８８９を有する。これは、テンプル８９８にある側面部材８８８の積極的に係合するために、エンドストップ８８７を与えるものである。
【００４７】
テンプル８９８は、輪止め部８８５に加えて、側面部材８８８の大きさと形状に対応する凹部８８１を有する。このようにして、側面部材８８８は、上述の方式及びスナップ式により凹部８８１に係合される。輪止め部８８５は、凹部８８９及びエンドストップ８８７を係合する。
【００４８】
図２７は、テンプル１２、スリーブ１４、クリップ１６及びフロント部１８を備える図中の１０で記述された、眼鏡のフレームの部分的な組立を示す。フロント部１８は、例えば、成形プラスチック、アクリル又は酢酸塩を材料として作成される。フロント部１８は、クリップ１６を挿入できる凹部１９を有する。望ましくは、クリップ１４はスプリングクリップである。
【００４９】
クリップ１６がフレーム１８にある凹部１９に挿入された後、スリーブ１４はクリップ１６のアーム部にある各穴２６及びフロント部１８の各穴２１に挿入され、凹部１９の横方向に伸びる。テンプル１２は、テンプル１２に加えられた指圧を用いることにより、フレーム１８に係合されるので、テンプルのピン３４がスリーブ１４に係合され、その結果、そのテンプルをフロント部１８に係合し、また、クリップ１６をフロント部１８に係合する。そのため、フロント部をクリップに、又はテンプルをクリップ及びフロント部に係合するには、どんな接着剤も他の締め具も必要としない。
【００５０】
組立体を係合するのに必要なクリップ１６が図２８に示される。クリップ１６は、通常、基材２４に対してＳ字形状であり、その屈曲上部２３は、基材２４において不可欠であり、その屈曲上部は、基材２４を超えて伸び、上向きのリップ２２で終点とする。リップ２２の手前は屈曲凹部２５である。基材２４は２本の上向きに伸びるアーム２０を有する。アームは、好ましくは基材２４の各側面に一致して配列される。各アーム２０は、アーム２０を通り抜ける又はアーム２０の中に伸びるピンホール２６を有する。クリップ１６が凹部１９に挿入されるとき、ピンホール２６は穴２１と一列になる。基材２４及び屈曲凹部２５はその中間にスロット２７を形成する。
【００５１】
図２９は図２７のフレームの組立に用いられたテンプルを示す。テンプル１２は、２本の相隔たる略平行のアーム３０、アーム３０の間のスロット３２、クリップ１６とテンプル１２を係合する末端３６，３４に隣接するアーム３０から表向き又は横方向に伸びる２つのピン３４を備える。スロット３２は、テンプル末端３６から内側末端３８まで後方に伸びる。テンプルは、更にテンプル末端の内方へ相殺するテンプル末端オフセット部２９を含み、スロット３２は、テンプル末端オフセット部２９の後方へ伸び、また、スロット３２は、テンプル末端オフセット部２９の少なくとも全範囲においてテンプル末端３６からの高さ方向に先細りとなる。
【００５２】
図３０では、フレームの組立の間、指圧がテンプル１２のアーム３０に適用されるとき、スロット３２が圧縮されて、テンプル１２は、クリップ１６に挿入され、予め穴２６及び２１に置かれたスリーブ１４に位置付けられる。これは、フロント部のピンホール２１においてピン３４がスリーブ１４に係合できるようにする。テンプル１２を、例えば、高張力ステンレス鋼といった弾性材とすることにより、指圧解除時に、スロット３２は標準高さに戻り、ピン３４は、クリップ１６の穴２６及びフレーム組立のピンホール２１に位置するスリーブ１４に完全に係合される。例えば、バネ鋼といった弾性材から成るクリップ１６は、テンプル１２に力を加えてフロント部にテンプル１２のピン３４を係合する。
【００５３】
取り外しは逆の手順である。そのため、テンプル１２は、蝶番として作動するピン３４及びスリーブ１４によって、ピンを軸とする。テンプル末端３６は、スプリング効果を与えるため、屈曲上部２３と接触する。テンプルが図３１(「使用時」位置)で示された位置にあるとき、テンプル末端３６は屈曲上部２３に接触しない。テンプル１２がピン３４を軸とするので、テンプル末端３６は、動作(図３０)に対する抵抗を与えるため、屈曲上部２３に接触する。テンプル１２は軸とされるので、これが凹部２５に位置付けられるとき、動作に対する抵抗はほとんどない。これはテンプル１２が折り重ねられた位置にあるときのことである。そのため、上部２３とリップ２２の屈曲した性質は、テンプル末端３６でカム又はスプリング効果を与える。
【００５４】
図３２及び図３３は、最後の実施形態に基づいて、インジェクション成形フロント部５０の斜視図を示す。インジェクション成形フロント部５０は、屈曲上部２３と類似して、同じ機能を有する屈曲上部５１を備える。また、それは、上向きのリップ５２を有する。フロント部５０の凹部５３に位置付けられる。凹部５３は基材５４を有する。屈曲部５１に力が適用されないとき、ピン３４はピンホール２１に挿入されない。テンプル末端３６によって上部５１に圧力が適用されるとき、ピン３４が穴２１に挿入できるように、上部５１は基材５４に対して屈折する。必要なら、スリーブ１４が用いられる。
【００５５】
単一のインジェクション成形部分として、クリップをフロント部と一体化することにより、本考案は、光学技術者が組み立てる必要な部品数を最小にし、組立の間に部品を係合する特別なツールを使用する必要性を減少させる。
【００５６】
本考案の最適な実施形態は、以上の記述で説明されるが、そのデザイン、構成及び操作の詳細における多様な変形例及び改良点は、クレームで定義された本考案から乖離しないで製造されうることは、当業者にとって理解されることである。
【図面の簡単な説明】
【００５７】
考案が完全に理解され、また、容易に実施されるように、ここに本考案の好ましい実施形態に関する非制限的な実施例を示し、添付の図面を参照して説明する。
【図１】図１は第１の実施形態の正面図。
【図２】図２はレンズ挿入前の第１の実施形態であって、図１に対応する図。
【図３】図３は図２の一部の拡大図。
【図４】図４は第１の実施形態の第１の変形例であって、図３に対応する図。
【図５】図５は第１の実施形態の第２の変形例であって、図３に対応する図。
【図６】図６は第１の実施形態の更なる複数の変形例の正面図。
【図７】図７は第２の実施形態の一部を示す正面斜視図。
【図８】図８はレンズ挿入前の第２の実施形態の一部を示す正面図。
【図９】図９は第２の実施形態の側面図。
【図１０】図１０は組み立ての間における第３の実施形態の一部を示す正面斜視図。
【図１１】図１１は組み立てステップの完了時の図１０に対応する図。
【図１２】図１２は第３の実施形態の第１の変形例であって、図１１に対応する図。
【図１３】図１３は第３の実施形態の第２の変形例であって、図１１に対応する図。
【図１４】図１４は第３の実施形態の第３の変形例であって、図１１に対応する図。
【図１５】図１５は第３の実施形態の第４の変形例であって、その一部を示す後面斜視図。
【図１６】図１６は第４の実施形態の一部を示す展開した正面斜視図。
【図１７】図１７は図１６に対応する後面斜視図。
【図１８】図１８は第５の実施形態の一部を示す正面図。
【図１９】図１９は第５の実施形態の一部を展開して示す正面斜視図。
【図２０】図２０は図１９に対応する他の側面における正面図。
【図２１】図２１は組み立て前の第６の実施形態の側面拡大図。
【図２２】図２２は組み立て後の図２１に対応する図。
【図２３】図２３は組み立て前の第７の実施形態の一部を示す正面斜視図。
【図２４】図２４はフロント部末端の側面拡大図及び組立前の図２３のテンプルを示す図。
【図２５】図２５は組み立ての間における図２４に対応する図。
【図２６】図２６は組み立て完了時の図２４に対応する図。
【図１】
0003145561.tif 000003
【図２】
0003145561.tif 000004
【図３】
0003145561.tif 000005
【図４】
0003145561.tif 000006
【図５】
0003145561.tif 000007
【図６】
0003145561.tif 000008
【図７】
0003145561.tif 000009
【図８】
0003145561.tif 000010
【図９】
0003145561.tif 000011
【図１０】
0003145561.tif 000012
【図１１】
0003145561.tif 000013
【図１２】
0003145561.tif 000014
【図１３】
0003145561.tif 000015
【図１４】
0003145561.tif 000016
【図１５】
0003145561.tif 000017
【図１６】
0003145561.tif 000018
【図１７】
0003145561.tif 000019
【図１８】
0003145561.tif 000020
【図１９】
0003145561.tif 000021
【図２０】
0003145561.tif 000022
【図２１】
0003145561.tif 000023
【図２２】
0003145561.tif 000024
【図２３】
0003145561.tif 000025
【図２４】
0003145561.tif 000026
【図２５】
0003145561.tif 000027
【図２６】
0003145561.tif 000028
【図２７】
0003145561.tif 000029
【図２８】
0003145561.tif 000030
【図２９】
0003145561.tif 000031
【図３０】
0003145561.tif 000032
【図３１】
0003145561.tif 000033
【図３２】
0003145561.tif 000034
【図３３】
0003145561.tif 000035
【手続補正書】
【提出日】平成20年8月11日(2008.8.11)
【手続補正１】
【補正対象書類名】実用新案登録請求の範囲
【補正対象項目名】全文
【補正方法】変更
【補正の内容】
【実用新案登録請求の範囲】
【請求項１】
眼鏡のフレームにおいて、
フロント部及び一対のテンプルを備え、
前記フロント部は、その各末端に側面部材を有し、
前記各側面部材は、前記テンプルを前記フロント部に開放自在に取り付けられるように
する、前記テンプルのレセプタに開放自在にしっかりと係合するための係合部材を備え、
前記係合部材及び前記レセプタの一方は、二股に分岐しており、その間の隙間に上側部
材及び下側部材を備え、
前記係合部材及び前記レセプタの他方は、前記上側部材を開放自在にしっかりと受け止
める上側ブラケットと、前記下側部材を開放自在にしっかりと受け止める下側ブラケット
と、を有することを特徴とする眼鏡のフレーム。
【請求項２】
前記フロント部は、スプリット縁を更に備え、
前記縁は、前記側面部材において分岐しており、
前記側面部材は、レンズの挿入及び取り外しのため、前記スプリットに沿って前記縁が
開かれるように、共通のスプリット線に沿って前記縁にある前記スプリットに合致するよ
うに分割されていることを特徴とする請求項１に記載の眼鏡のフレーム。
【請求項３】
前記レセプタは、前記係合部材が前記レセプタに位置するとき、完全に閉じた位置でス
プリット縁を保持することを特徴とする請求項２に記載の眼鏡のフレーム。
【請求項４】
眼鏡のフレームにおいて、
（ａ）フロント部と、
（ｂ）前記フロント部の各末端部にある側面部材と、
（ｃ）前記側面部材に取り付けられた一対の縁と、
（ｄ）レンズの挿入及び取り外しのため、前記スプリット線に沿って前記縁が開かれるよ
うに、共通のスプリット線に沿って分岐する各縁及び側面部材と、
（ｅ）閉じた状態の前記共通のスプリット線を保持するため、前記側面部材の一方に係合
するための一対のテンプルと、を備え、
前記一対のテンプルの各々と前記側面部材の１つとの係合は、レセプタに開放自在に係
合するための係合部材によってなされ、
前記係合部材及びレセプタは、二股に分岐しており、それらの間にすき間のある上側部
材及び下側部材を備え、
前記係合部材及びレセプタは、前記上側部材を開放自在に受け止める上側ブラケットと
、前記下側部材を開放自在に受ける止める下側ブラケットと、を有することを特徴とする
眼鏡のフレーム。
【請求項５】
前記各側面部材は、前記テンプルのレセプタと開放自在にしっかりと係合するための係
合部材を備えることを特徴とする請求項４に記載の眼鏡のフレーム。
【請求項６】
前記各テンプルは、前記側面部材のレセプタと係合するための係合部材を備えることを
特徴とする請求項４に記載の眼鏡のフレーム。
【請求項７】
前記上側部材及び下側部材は、夫々フロント部から離れた末端部に少なくとも１つの返
し部を有することを特徴とする請求項４乃至請求項６のいずれか一項に記載の眼鏡のフレ
ーム。
【請求項８】
前記レセプタは、前記上側ブラケットと下側ブラケットとの間で前記レセプタを通る細
長いスロットを更に備えることを特徴とする請求項７に記載の眼鏡のフレーム。
【請求項９】
スナップ式により前記細長いスロット及び隙間を係合するボタンを更に備えることを特
徴とする請求項８に記載の眼鏡のフレーム。
【請求項１０】
前記上側部材と下側部材は、前記返し部が前記レセプタと係合する第１の係合位置から
、前記係合部材をレセプタに挿入及び開放できるようにする第２の係合位置へ、互いが相
対的に移動可能となっていることを特徴とする請求項９に記載の眼鏡のフレーム。
【請求項１１】
前記ボタンは、前記上下側部材の動きを抑制するために隙間に係合することを特徴とす
る請求項１０に記載の眼鏡のフレーム。
【請求項１２】
前記側面部材は、前記フロント部の後方に伸びていることを特徴とする請求項１０に記
載の眼鏡のフレーム。